(57)【特許請求の範囲】
【請求項１】
一部を切り欠いて形成したペットの出入り口に、扉体を枢着して出入り口を開閉可能にしたペット柵用パネルであって、
上記扉体の反枢着部側またはその対向部に、左右方向に摺動する施錠装置を取り付け、
該施錠装置の上記摺動範囲を、施錠装置の取り付け位置から、突出して対向側に跨る突出位置までに設定し、
上記施錠装置における突出位置側には、上記突出位置に摺動した時に、摺動方向に位置する部位を前後に挟み込む挟み込み部を形成するとともに、
上記施錠装置と取り付け位置との間に付勢部材を介装して、施錠装置を突出位置方向に付勢し、
上記施錠装置における反突出位置側には、上記付勢部材の付勢力に抗して取り付け位置側に摺動した時に、取り付け位置に係脱可能に係止する係止部を形成し、上記扉体の上部および／または下部、あるいはその対向部に、上下方向に摺動する第２の施錠装置を取り付け、
該第２の施錠装置には、取り付け位置から、突出して対向側に跨る突出位置まで摺動した時に、該摺動方向に位置する部位を前後に挟み込む挟み込み部を形成した
ペット柵用パネル。
【請求項２】
前記第２の施錠装置内には、取り付け位置に対して弾性力を以って接して摺動する摺接部を備えた
請求項１に記載のペット柵用パネル。
【発明の詳細な説明】
【０００１】
【発明の属する技術分野】
この発明は、例えば犬や猫、鳥、ハムスターなどのペットを室内で飼育するのに使用するような、ペット用ケージやペット用サークル等のペット柵に関する。
【０００２】
【従来の技術】
ペット用ケージは、周囲全体を囲んでペットの収容空間を形成するもので、ペット用サークルは、周囲のみを囲んでペットの収容空間を形成するものである。いずれの場合も一般に金網状のパネルを用いて構成させれ、パネルを連結したのち他の部材と組み合わせたり、パネルのみを連結したりして構成する。
【０００３】
上記パネルには、ペットが出入りする出入り口を設けるものがあるが、その出入り口には、ペットを拘束するために扉体を枢着し、扉体を閉状態にする施錠装置を設ける。
【０００４】
ペット用ケージに取り付けるこの施錠装置としては、例えば実用新案登録第３０５３２２６号に開示されたものがある。この施錠装置は、扉体に設けたケース体内に、ロック操作体を左右方向に摺動可能に保持した構成である。ロック操作体は、扉体を囲むケージ開口部に向けて突出するようにばねで付勢されるとともに、付勢方向の先端部には、上記ケージ開口部の縁を挟持する一対の面を有している。また、表面には、ケース体の開口部を介して突出する操作用把持部を突設して、これを付勢力に抗して後退させる操作により扉体を開くことができるようにしている。
【０００５】
しかしこのような構成の施錠装置では、開くときには付勢力に抗して操作把持部を後退させてその状態を保っておかねばならず、このため片手がふさがり、ペットの出し入れなどの作業がしにくい難点がある。また、大型のペット用ケージやペット用サークルでは、上下に２個の施錠装置を設けるのが普通であるので、これら施錠装置を同時に後退させて、後退させた状態を保持したまま扉体を回転させなければならない。このため、扉体の開閉操作に際しては両手がふさがり、ペットの出し入れ等の作業性が悪い。
【０００６】
しかも、上記ケース体は、前後方向で相互に組み合わせる一対の部材で構成するので、その他のロック操作体とばねとを合わせると、少なくとも４つの部材が必要であり、部品点数が多くなり、組み立ての手間もコストもかかる難点もある。
【０００７】
また、扉体の閉鎖は、枢着部とは反対側の位置だけで行っているので、ペットが収容空間内で暴れたりして扉体を押したときに、扉体が変形することがある。この変形時にペットの脚やしっぽなどがその変形時にできた隙間に挟まると、ペットのけがの原因になる。
【０００８】
【発明が解決しようとする課題】
そこでこの発明は、扉体の開閉操作とペットの出し入れが容易に行えるようにすることを主たる課題とする。
【０００９】
【課題を解決するための手段】
そのための手段は、一部を切り欠いて形成したペットの出入り口に、扉体を枢着して出入り口を開閉可能にしたペット柵用パネルであって、上記扉体の反枢着部側またはその対向部に、左右方向に摺動する施錠装置を取り付け、該施錠装置の上記摺動範囲を、施錠装置の取り付け位置から、突出して対向側に跨る突出位置までに設定し、上記施錠装置における突出位置側には、上記突出位置に摺動した時に、摺動方向に位置する部位を前後に挟み込む挟み込み部を形成するとともに、上記施錠装置と取り付け位置との間に付勢部材を介装して、施錠装置を突出位置方向に付勢し、上記施錠装置における反突出位置側には、上記付勢部材の付勢力に抗して取り付け位置側に摺動した時に、取り付け位置に係脱可能に係止する係止部を形成し、上記扉体の上部および／または下部、あるいはその対向部に、上下方向に摺動する第２の施錠装置を取り付け、該第２の施錠装置には、取り付け位置から、突出して対向側に跨る突出位置まで摺動した時に、該摺動方向に位置する部位を前後に挟み込む挟み込み部を形成したペット柵用パネルであることを特徴とする。
【００１０】
ペット柵用パネルが、例えば線材を縦横に組んで金網状に形成した形態のものである場合には、上記「摺動方向に位置する部位」が線材であると、上記「挟み込み部」も一対の面などで形成すればよく、特別に複雑な構造を形成せずともよいので、コストの低減や操作の簡単化を図ることができる。具体的には、施錠装置は、線材を前後に挟むように配置する２つの部材で構成し、突出位置側の端部における２つの部材間に隙間を形成すると、上記挟み込み部が形成できる。また、ペット柵用パネルを線材で構成しない場合には、上記「摺動方向に位置する部位」と「挟み込み部」は、それぞれの形に応じて適宜形成する。
【００１１】
使用に際しては、ペット用ケージやペット用サークルの必要箇所に当該ペット柵用パネルを連結する。扉体を開けるときには、施錠装置を付勢力に抗して押し下げ、移動方向先端側（施錠装置の反突出位置側）に位置する係止部を、取り付け位置の線材等に係止して、施錠装置の位置を保つ。このため両手があくので、あいた両手でペットの出し入れ等の作業が容易に行える。
【００１２】
扉体を閉じるときには、まず扉体を回転して閉じるとともに、施錠装置の係止部の係止を外して、付勢力に任せればよい。付勢力により、施錠装置は摺動し、突出位置において挟み込み部が前後に挟み込みを行って、扉体の開閉が阻止される。付勢力で施錠装置は付勢力で押付けられているので、不測に開くことを防止できる。
【００１３】
また、前記扉体の上部および／または下部、あるいはその対向部に、上下方向に摺動する第２の施錠装置を有する。この第２の施錠装置は、扉体の上部の対向部を取り付け位置に設定し、下へ押し下げて摺動させることによって扉体の上端部を位置規制するように構成でき、この場合には第２の施錠装置を押し下げれば施錠し、引き上げれば開錠する。
【００１４】
このため、施錠装置により扉体を閉塞できる上に、第２の施錠装置で扉体の上部および／または下部を閉じた状態に位置規制できる。すなわち、施錠装置を利用して扉体を閉じた後、第２の施錠装置を突出位置まで摺動すると、挟み込み部が摺動方向に位置する部位を前後に挟み込んで、扉体の開きを防止する。このため、収容したペットが扉体を内側から押しても扉体が撓むことはなく、ペットの脚などが挟まる恐れを回避できる。
【００１５】
なお、前記第２の施錠装置内には、取り付け位置に対して弾性力を以って接して摺動する摺接部を備えるとよい。摺接部は、第２の施錠装置内に一体に設けるも、別部材で構成するもよい。別部材で構成する場合で取り付け位置が摺動方向に延びる線材を有する場合には、線状のばねで構成するとよい。構成が簡素で安価に製造できる。
【００１６】
【発明の効果】
以上のように、この発明によれば、扉体の閉鎖状態を保持する施錠装置に、付勢力に抗して取り付け位置側に摺動した時に取り付け位置に係脱可能に係止する係止部を形成したので、扉体を開放可能な状態にしても施錠装置から手を放すことができる。つまり手をあけることができるので、ペットの出し入れ作業をはじめ、他の作業を容易にできる。また、ペット柵用パネルが大型であって、扉体も縦に長い場合など、複数の施錠装置を設けた場合であっても、各施錠装置を扉体の開放可能位置に固定しておくことができるので、上述と同様に、両手をあけて他の作業をできる。
【００１７】
しかも、施錠装置全体が左右方向に摺動するので、従来のようにロック操作体を内蔵する必要がなく、部品点数を抑えることができ、組み立ての手間もコストも低減できる。
【００１８】
また、第２の施錠装置を設けると、扉体の閉塞状態を、扉体の上部においても、また必要であれば下部においても維持できるので、ペットが不足に体を挟んでしまうようなことを阻止でき、安全性を高めることができる。
【００１９】
【発明の実施の形態】
この発明の一実施の形態を、以下図面を用いて説明する。
図１は、ペット用ケージ１の正面図であり、このペット用ケージ１は、図２の分解斜視図に示したように、金属製の線材を縦横に組み合わせてなる金網状の前パネル２と、後パネル３と、２枚ずつの合計４枚の側面パネル４を連結具５で連結して周壁部材６を形成するとともに、この周壁部材６に、同じく金属製線材からなる金網状の天井パネル７を取り付けて上面を塞ぎ、これを合成樹脂製の底部材８に載置して構成する。
【００２０】
上記周壁部材６は、側面パネル４を内側に折り込むことによって、前パネル２と後パネル３が近づくように変形するもので、詳しくは後述する。
【００２１】
上記天井パネル７は、外周縁に線材からなる係止部７ａ，７ｂ，７ｃを複数設けて、周壁部材６の上端縁に対して着脱可能に係止する。
【００２２】
上記底部材８は、上記周壁部材６を載置可能な大きさの方形状の底板９における外周縁に、縁部１０を立設するとともに、その内周側に、周壁部材６を乗せられる幅の溝を介して周壁部１１を立設する。周壁部１１は全周に形成し、その前面側は、ペットの出入り口１１ａとして低く形成している。そして上記縁部１０の左右両側面部の中間位置は、外方へ若干突出形成して、バックル１２を保持する。バックル１２は溝に載置した周壁部材６の側面、すなわち２枚の側面パネル４の隣接部分を、側面パネル４における横に延びる線材４ａに引っ掛けて下へ押さえ込んで固定する。
【００２３】
上記底板９の下面の四隅にはストッパ付きのキャスタ１３を取り付け、移動の容易化を図っている。
【００２４】
このような概略構造のペット用ケージ１に用いる前パネル２について、次に説明する。
【００２５】
前パネル２には、ペットの出入りのために上部がアーチ型となる出入り口１４を形成しており、この出入り口１４を塞ぐべく、扉体１５を枢着している。そして扉体１５の枢着部１５ａとは反対側に、扉体１５の閉状態を保つための施錠装置１６を取り付けている。また、扉体１５の上部の対向位置には、補助の施錠装置として、第２の施錠装置１７を設けて、扉体１５の閉状態を得るようにしている。
【００２６】
まず上記施錠装置１６から説明する。この施錠装置１６は、図３に示した通りであり、主に３つの部材からなる。すなわち左右方向に摺動すべく前後に組み合わせる２枚の摺動部材１８，１９と、この中に備えた付勢部材としての引張コイルばね２０（以下、ばねという）である。
【００２７】
後側に位置する後側摺動部材１８の内面を図４に、前側に位置する前側摺動部材１９の内面を図５に示した。
【００２８】
ここで、施錠装置１６を取り付ける、扉体１５における取り付け位置について説明すると、この取り付け位置には、正面視横長コ字形の線材からなる被摺動部１５ｂを形成している。被摺動部１５ｂの先は、扉体１５の外周縁の線材１５ｃよりも外方へ突出し、対向する出入り口１４開口縁の線材１４ａに跨る位置まで延ばして、その先端縁を後方に向けてコ字形に折曲している。
【００２９】
上記被摺動部１５ｂ上を左右に摺動するように、上記後側摺動部材１８も前側摺動部材１９も形成している。
【００３０】
図４に示したように、後側摺動部材１８は、被摺動部１５ｂよりも幅広に形成し、上下両端縁部に摺動部１８ａを形成し、それより内側に、被摺動部１５ｂの内側に沿う規制のための第１突条１８ｂと、前側摺動部材１９との間を所定の距離に保つために形成した、第１突条１８ｂよりも高さのある第２突条１８ｃを２本ずつ形成している（図６参照）。
【００３１】
第１突条１８ｂと第２突条１８ｃの間には、２個ずつ、段部１８ｄを形成し、段部１８ｄの中心に、ねじなどからなる結合部材２１（図３参照）を挿入して前側摺動部材１９と結合するための貫通孔１８ｅを形成する。別体の結合部材２１を用いずに、凹凸で相互に嵌合し合うように構成するもよい。
【００３２】
上記第２突条１８ｃの間には、前記ばね２０の一端を保持する保持突起１８ｆを立設する。この保持突起１８ｆは、図６に示したように、その先端が前側摺動部材１９に嵌合するもので、周面における下部側には、ばね２０の一端の位置を規制するための規制片１８ｇを、外周方向に張り出すように上下に２本形成している。この規制片１８ｇの高さは、ばね２０の一端部の高さが下がらないように保つことで、ばね２０の付勢力に抗して摺動したときにその引っ張った状態での係止による位置決めを可能にする。
【００３３】
また、施錠装置１６の摺動範囲は、施錠装置１６の取り付け位置から、突出して対向側に跨る突出位置までに設定する。そして、後側摺動部材１８における反枢着部１５ａ側には、扉体１５の被摺動部１５ｂと図４に示したような位置関係になったときに、つまり、施錠装置１６を突出位置に摺動して、出入り口１４開口縁の縦に延びる線材１４ａに跨るようになったときに、上記線材１４ａの後側に位置する、挟み込み部の一方１８ｈを形成している。
【００３４】
一方、前側摺動部材１９は、図５に示したように、被摺動部１５ｂよりも幅広に形成するとともに、上下両側縁部に摺動部１９ａを形成する。そして上記後側摺動部材１８の段部１８ｄに対応する位置に、先端が段部１８ｄに当接する離間柱１９ｂを立設し、その中央に、ねじなどの上記係合部材２１（図３参照）のための貫通孔１９ｃを形成している。
【００３５】
また、上記後側摺動部材１８の保持突起１８ｆを形成した部位に対応する位置は、膨出形成して表側につまみ部１９ｄを形成するとともに、中心に、上記保持突起１８ｆの先端を嵌合する嵌合穴１９ｅを形成している。
【００３６】
この前側摺動部材１９も、上記後側摺動部材１８と略同様の長さに形成し、反枢着部１５ａ側の端部を、挟み込み部の他方１９ｆに設定する。また、この挟み込み部の他方１９ｆと反対側の端（反突出位置側）は、後側摺動部材１８よりも若干延ばして、ばね２０の付勢力に抗して取り付け位置側に摺動した時に、取り付け位置、すなわちそこにある縦に延びる線材１５ｄに係脱可能に係止する係止部１９ｇを形成している。
【００３７】
この係止部１９ｇは、被摺動部１５ｂの内側位置に、相互に離間させて２箇所に形成したもので、後方へ突出した形状である。この係止部１９ｇの内側には、数本の突条１９ｈを並設し、係止を外すときに指が引っ掛かりやすくしている。
【００３８】
また、上記係止部１９ｇ間は、湾状に凹む凹部１９ｉを設け、摺動操作に際して指先が引っ掛かるようにしている。図中、１９ｊはのぞき窓である。
【００３９】
前記ばね２０は、一端を上記保持突起１８ｆに保持するとともに、他端を扉体１５の外周縁に位置する縦に延びる線材１５ｃに保持する。この状態で、扉体１５を挟むように、後側摺動部材１８と前側摺動部材１９を前後方向から組み合わせて、適宜の結合部材を用いて一体化すればよい。
【００４０】
なお、上記構成では、後側摺動部材１８と前側摺動部材１９で一つの挟み込み部を形成したが、いずれか一方のみに挟み込み部を形成するもよい。
【００４１】
このように構成した施錠装置１６は、扉体１５を閉じた状態では図６に実線で示したように、出入り口１４開口縁の縦に延びる線材１４ａを前後で一対の挟み込み部１８ｈ，１９ｆで挟み込んだ状態となるが、凹部１９ｉとつまみ部１９ｄに指を掛けてばね２０の付勢力に抗して押し下げると、仮想線で示したように摺動する。そして、係止部１９ｇ側を若干後方へ押して、縦に延びる線材１５ｄに引っ掛けることで、係止部１９ｇはカチッと係止する。施錠するときには、係止部１９ｇの裏側に指先を引っ掛けて若干引き起こすことで、係止部１９ｇの係止が外れるので、後は扉体１５を閉めた状態にしてばね２０の付勢力に任せればよい。
【００４２】
つづいて、第２の施錠装置１７について説明する。
第２の施錠装置１７は、扉体１５の上部を閉鎖状態に規制するためのもので、扉体１５の上部の対向部、すなわち出入り口１４開口縁の上部を取り付け位置に設定して、この取り付け位置に取り付けを行っている。出入り口１４開口縁の上部がアーチ形に湾曲しているので、第２の施錠装置１７は、下端縁をアーチ形に湾曲した略横長長方形状に形成している。扉体１５の上部がアーチ形以外の他の形状であれば、それに対応した形状に形成する。
【００４３】
この第２の施錠装置１７も、線材からなる前パネル２を前後に挟む２つの摺動部材２２，２３を用いて構成する。後側に位置する後側摺動部材２２も、前側に位置する前側摺動部材２３も同一の正面視形状に形成している。図８に示したように、後側摺動部材２２には、前パネル２の取り付け位置を形成する縦に延びる４本の線材２ａを通す凹溝２２ａを形成し、左右２つずつの凹溝２２ａを挟む位置には、上記溝２２ａの厚みに近い段部２２ｂを形成する。段部２２ｂの中心には、貫通孔２２ｃを形成する。
【００４４】
また、第２の施錠装置１７は、上下方向に摺動するものであり、上記取り付け位置から、下に突出して対向側、すなわち扉体１５の上端縁部に跨る突出位置まで摺動した時に、該摺動方向に位置する部位、すなわち扉体１５の上端縁部を前後に挟み込む挟み込み部を有している。この挟み込み部の一方２２ｄを、上記後側摺動部材の下端縁に設定する。
【００４５】
前側摺動部材２３は、後側摺動部材２２よりも厚く形成し、上記段部２２ｂに対応する位置に、先端が上記貫通孔２２ｃに嵌合する突部２３ａを先端に有する突起２３ｂを形成する。突部２３ａの中心には、ねじなどの結合部材（図示せず）を挿入するための孔部を形成する。
【００４６】
そして、上記突起２３ｂは上記突部２３ａよりも大径で、その外周面には、十字状に突条２３ｃを形成する。この突条２３ｃは、後側摺動部材２２と前側摺動部材２３を組み合わせたときに、その突条２３ｃの先端面と、後側摺動部材２２の段部２２ｂとの間に若干の隙間ができるようにするためのものである。
【００４７】
その隙間には、摺接部材として、線材からなるばね２４を保持する。ばね２４は、ばね鋼からなる一直線状の線材の両端部を上記突部２３ａに外嵌する大きさに丸めた形状である。ばね２４の両端部を突部２３ａに嵌めてから、そのまま前パネル２の取り付け位置の表側（前側）に当てがい、後側摺動部材２３を裏側（後側）から組み付ければよい。
【００４８】
なお、上記前側摺動部材２３の上面の中央部には、滑り止め用の凹凸２３ｄ（図７参照）を、複数本の突条の形成で設けている。
【００４９】
また、前側摺動部材２３の下端縁は、その上部よりも薄く形成して、後側摺動部材２２における挟み込み部の一方２２ｄとの間に所定の間隔を設け、扉体１５の上端縁部を挟み込むための挟み込み部の他方２３ｅに設定している。
【００５０】
上述のように構成すると、後側摺動部材２２と前側摺動部材２３の間に保持したばね２４は、取り付け位置の縦の線材４ａ表側に弾性力を以って接する。このため、摺接抵抗が生まれ、上下方向に摺動可能でありながらも任意の位置で位置固定できる。図７に示したように下に下ろせば、扉体１５の上端部を閉姿勢に位置規制できる。
【００５１】
後側摺動部材２２と前側摺動部材２３とを組み合わせるだけで摺接抵抗が生まれるように設定すれば、ばね２４を省略できる。また、後側摺動部材２２や前側摺動部材２３の成形時に、弾力性を以って接するばね状の摺接部を一体に設けるもよい。さらに、適宜のばね、付勢手段で、上下方向のいずれか一方に付勢して、前述の施錠装置１６のように付勢力に抗して摺動した状態を保持できるように、適宜の係止部等を形成するもよい。
【００５２】
次に、前記連結具５について説明する。
連結具５は、上記施錠装置１６と第２の施錠装置１７を取り付けた前パネル２に、側面パネル４と後パネル３を連結して、前記周壁部材６を形成するためのもので、図１、図２に示したように、各パネル２，３，４を構成する線材のうち、両側縁を構成して縦に延びる線材２ｘ，３ｘ，４ｘ上であって、所定間隔を隔てて並べた横に延びる線材２ｙ，４ｙ間に取り付ける。
【００５３】
図９がその連結具５の斜視図であり、図１０が、その形状を詳細に表す図である。図１０中、（ａ）は左側面図、（ｂ）は正面図、（ｃ）は背面図、（ｄ）はＢ−Ｂ断面図、（ｅ）は平面図、（ｆ）はＡ−Ａ断面図である。
【００５４】
つまりこの連結具５は、パネル２，３，４の左右両側に位置して縦に延びる線材２ｘ，４ｘを回転可能に保持する保持孔５ａを左右に並設した連結具５であり、これら保持孔５ａを、連結したパネル２，３，４を並行に並べられる間隔を隔てて形成するとともに、上記保持孔５ａを前後に２分割する位置で分割形成した同一形状をなす２つの連結具担体２５で構成している。そしてこれら２つの連結具担体２５には、相互に係合する係合手段を一体に備えている。
【００５５】
具体的には、正面視長方形状の板状に形成し、側面を横断面円形に湾曲形成した内側の左右両側部に、縦の延びる２本の凹溝２６を形成する。この凹溝２６が係合後、上記保持孔５ａを形成する。つまり凹溝２６は、線材２ｘ，４ｘに外嵌する円形の半分の大きさに形成して、連結したパネル２，３，４を並行に並べられる間隔を隔てている。
【００５６】
そしてこの凹溝２６の外側には、係合手段を一体に形成している。係合手段は、相互に係合し合う係合凸部２７と係合凹部２８で、係合凸部２７は、凹溝２６を形成する面から立ち上げた後、外側に傾斜面２７ａを形成して、その下端に返し部２７ｂを形成した構造である。係合凹部２８は、側面部の湾曲面に沿って切り立たせた後、内側に傾斜面２８ａを形成し、その下に上記係合凸部２７が係合する係合溝２８ｂを形成した構造である。
【００５７】
上記係合凸部２７と係合凹部２８は、同種のものが対角線上に並ぶようにしている。すなわち、左右いずれか一方の縁部に、係合凸部２７と係合凹部２８を上下に順に形成し、他方の縁部には、係合凹部２８と係合凸部２７を上下に順に形成している。
【００５８】
また、凹溝２６間は連結具担体２５相互間で互いに接触する平面で形成し、その平面の左右方向の中間位置における上部と下部には、それぞれ、相互に嵌合する形の嵌合突起２９と嵌合孔３０を形成している。
【００５９】
このように構成した連結具担体２５は、一箇所の連結に２つ用意し、各連結具担体２５を向かい合わせて、凹溝２６に縦の線材２ｘ，３ｘ，４ｘを対応させた状態で相互にパチンと嵌め合わせ、係合凸部２７と係合凹部２８を係合し合えばよい。嵌め殺し状態となり、しっかりと堅固な連結状態を得られる。
【００６０】
連結すると、図１１に示したような状態になって、２枚ずつ連結した側面パネル４を内側に折り込むことで、前パネル２と後パネル３が近接した、偏平な状態に折り畳むことができる。ペット用ゲージ１を組み立てるときには逆に、側面パネル４を引き起こすか、後パネル３と前パネル２を離間させればよい。
【００６１】
なお、上下に形成した係合凸部と係合凹部との間に、横に延びる線材を保持する隙間を形成すれば、並行する２本の線材のないパネルも連結できる。
【００６２】
また、上述のように一体に形成した係合手段ではなく、例えばねじ等の別体の係合手段で相互の一体化を行うもよい。
【００６３】
上述のような前パネル２と連結具５（連結具担体２５）を有したペット用ケージ１では、扉体１５の閉鎖状態を保持する施錠装置１６に、付勢力に抗して取り付け位置側に摺動して開錠した時に取り付け位置に係止する係止部１９ｇを形成しているので、取り付け位置側に移動した状態を保持できる。つまり両手をあけることができるので、ペットの出し入れ作業をはじめ、他の作業を容易にできる。また、図１２に示したようにペット用ケージ１に用いる前パネル２が大型であって、扉体１５も縦に長い場合など、複数の施錠装置１６を設けた場合であっても、係止部１９ｇの係止により、各施錠装置１６を扉体１５の開放可能位置に固定しておくことができるので、上述と同様に、両手をあけて他の作業をでき、至って便利である。なお、図１２において、上述の構成と同様の部分については同一の符号を付して、詳しい説明を省略する。
【００６４】
しかも、施錠装置１６全体が左右方向に摺動するので、従来のようにロック操作体を内蔵する必要がなく、主に前側摺動部材１９と後側摺動部材１８とばね２０との３個と、部品点数を抑えることができる。このため、組み立て作業が簡単であり、組み立てに要する手間も、コストも低減できる。
【００６５】
また、第２の施錠装置１７を設けると、扉体１５の閉塞状態を、扉体１５の上部においても、また必要であれば下部においても維持できるので、ペットが不測に体を挟んでしまうようなことを阻止でき、安全性を高めることができる。
【００６６】
さらに、このように有益な前パネル２と他のパネル３，４を連結する連結具５を、保持孔５ａを前後に２分割する位置で分割形成した２つの連結具担体２５で構成し、これら連結具担体２５には相互に係合し合う係合凸部２７と係合凹部２８を備えたので、連結具担体２５を単に係合するだけで、パネル２，３，４の連結状態を得ることができる。しかも、左右に並設する上記連結孔５ａは、連結したパネル２，３，４を並行に並べられる間隔に形成したので、連結後は、パネル２，３，４同士の向きを変えるように変形すれば、それだけで偏平な形状や立体の形状に簡単に変更でき、扱いが便利である。例えば組み立てた状態で販売しても、コンパクトにできるので、持ち運びや保管等が容易である。
【００６７】
特に、連結具５を構成する連結具担体２５を同一形状に形成しているので、製造に際して一つの型があればよく、コストや部品管理負担の低減に大きく貢献できる。
【００６８】
上述のペット用ケージ１は、この発明のペット柵に対応し、
前パネル２は、ペット柵用パネルに対応し、
出入り口１４開口縁の線材１４ａは、摺動方向に位置する部位に対応し、
扉体１５の上端部は、摺動方向に位置する部位に対応し、
引張コイルばね２０は、付勢部材に対応し、
ばね２４は、摺接部に対応するも、この発明は、上述の構成のみに限定されるものではない。
【００６９】
例えば、天井部も底部もない囲いだけのペット用サークルに、上述のような前パネル２を使用するもよい。また、施錠装置１６や第２の施錠装置１７の取り付け位置は、上述した取り付け位置の対向側であるもよい。
【図面の簡単な説明】
【図１】  ペット用ケージの正面図。
【図２】  ペット用ケージの分解斜視図。
【図３】  施錠装置の一部破断正面図。
【図４】  施錠装置を構成する後側摺動部材の表面図。
【図５】  施錠装置を構成する前側摺動部材の裏面図。
【図６】  施錠装置の作用状態を示す断面図。
【図７】  第２の施錠装置における作用状態の正面図。
【図８】  第２の施錠装置の断面図。
【図９】  連結具担体の斜視図。
【図１０】  連結具担体の説明図。
【図１１】  連結具の作用状態の説明図。
【図１２】  他の例に係るペット用ケージの正面図。
【符号の説明】
１…ペット用ケージ
２…前パネル
５…連結具
５ａ…保持孔
１４…出入り口
１４ａ…出入り口開口縁の線材
１５…扉体
１５ａ…枢着部
１５ｄ…取り付け位置の縦の線材
１６…施錠装置
１７…第２の施錠装置
１８…後側摺動部材
１８ｈ…挟み込み部の一方
１９…前側摺動部材
１９ｆ…挟み込み部の他方
１９ｇ…係止部
２０…引張コイルばね
２２…後側摺動部材
２２ｄ…挟み込み部の一方
２３…前側摺動部材
２３ｅ…挟み込み部の他方
２４…ばね
２５…連結具担体
２６…凹溝
２７…係合凸部
２８…係合凹部
【図１】
0003878046.tif 000002
【図２】
0003878046.tif 000003
【図３】
0003878046.tif 000004
【図４】
0003878046.tif 000005
【図５】
0003878046.tif 000006
【図６】
0003878046.tif 000007
【図７】
0003878046.tif 000008
【図８】
0003878046.tif 000009
【図９】
0003878046.tif 000010
【図１０】
0003878046.tif 000011
【図１１】
0003878046.tif 000012
【図１２】
0003878046.tif 000013